(57)【特許請求の範囲】
【請求項１】
角度を異ならせて筐体に設けた固定面と、
前記固定面に取り付ける取付部材と、を備える電気機器収納用箱であって、
前記取付部材は、前記固定面に対応して角度を異ならせて形成され、
角度を異ならせた各々の箇所には、固定面に係合する係合部が備えられ、
前記係合部が互いに同一方向に延ばして形成され、
前記係合部と係合する被係合部が固定面の角度を異ならせた各々の箇所に備えられ、
前記被係合部の周囲に前記係合部を案内するガイド部が形成され、
全てのガイド部が係合部と同一方向に延びる電気機器収納用箱。
【請求項２】
前記取付部材が、枠状に形成された請求項１に記載の電気機器収納用箱。
【請求項３】
前記係合部が、前記取付部材の対向する各々の辺に形成された請求項２に記載の電気機器収納用箱。
【発明の詳細な説明】
【技術分野】
【０００１】
本発明は、電気機器が収納される電気機器収納用箱に関するものである。
【背景技術】
【０００２】
従来から、各種電気機器を収納するために電気機器収納用箱が用いられている。このような電気機器収納用箱の装飾性を高めるため、化粧パネルなどの取付部材を筐体の表面に固定することがなされている。特許文献１に記載されているような電気機器収納用箱にもパネルが取り付けられているが、フラットな固定面に対して、フラットな取付部材を取り付けるものである。このような取付部材を係合爪を用いて取り付ける場合、係合爪は取付部材本体と固定面の双方に対して垂直方向に延びるように形成されている。
【先行技術文献】
【特許文献】
【０００３】
【特許文献１】特開２０１４−２７７６５号公報
【０００４】
ところで、取付部材が取り付けられる固定面は、フラットな面で形成されるものの他に、固定面を形成する部位のなす角度が場所により異なるように形成されている場合もある。この形状に対してフラットな取付部材を用いて対応しようとすると、角度の異なる面ごとにパネルを取り付けねばならないため、部品点数を多くする必要性がある。部品点数の増加を抑制する手段として、一体の取付部材を固定面に沿うように弾性変形させて取り付けることも考えられる。しかし、固定面に沿うように取付部材を変形させることは、作業性に問題がある。また、このように取り付けると、固定面と取付部材との間の一部に目立つ隙間が生じてしまい、外観が損なわれる虞があった。
【発明の概要】
【発明が解決しようとする課題】
【０００５】
本発明の目的は、取付部材を取り付ける固定面を形成する面のなす角度が場所により異なるように形成されている場合であっても、部品点数の増加が抑制されるとともに、取り付けの作業性を比較的良好なものとすることが可能な電気機器収納用箱とすることである。
【課題を解決するための手段】
【０００６】
上記課題を解決するため、次のような手段を採用する。第一の手段は、角度を異ならせて筐体に設けた固定面と、前記固定面に取り付ける取付部材と、を備える電気機器収納用箱であって、前記取付部材は、前記固定面に対応して角度を異ならせて形成され、角度を異ならせた各々の箇所には、固定面に係合する係合部が備えられ、前記係合部が互いに同一方向に延ばして形成された電気機器収納用箱とする。
【０００７】
第一の手段において、前記取付部材が、枠状に形成された構成とした第二の手段が好ましい。
【０００８】
第二の手段において、前記係合部が、前記取付部材の対向する各々の辺に形成された構成とした第三の手段が好ましい。
【０００９】
第一乃至第三の手段において、前記係合部と係合する被係合部が備えられ、前記被係合部の周囲に前記係合部を案内するガイド部が形成された構成とする第四の手段が好ましい。
【発明の効果】
【００１０】
第一の手段では、角度を異ならせて筐体に設けた固定面に取付部材を取り付ける電気機器収納用箱であっても、取付部材を一方向から容易に取り付け可能となる。
【図面の簡単な説明】
【００１１】
【図１】本実施の形態の電気機器収納用箱の斜視図である。
【図２】取付部材を固定面に取り付ける前の状態を示した斜視図である。
【図３】取付部材を固定面に取り付ける前の状態を示した側面図である。
【図４】取付部材を固定面に取り付けた状態を示した断面図である。
【図５】取付部材を固定面に取り付けた際の係合部周りを表した図である。
【図６】被係合部周りの部分拡大図である。
【発明を実施するための形態】
【００１２】
以下に発明を実施するための形態を示す。
図１は本実施の形態の電気機器収納用箱１の斜視図である。
図２は取付部材５を固定面７に取り付ける前の状態を示した斜視図である。
図３は取付部材５を固定面７に取り付ける前の状態を示した側面図である。
なお破線は、取付部材５に備えられた係合部５１が延びる方向と、係合部５１と被係合部３１との位置関係と、を表している。
【００１３】
本実施の形態においては、電気機器収納用箱１は車両の充電装置に用いられている。図１及び図２に示されている事項から理解されるように、電気機器収納用箱１の上部には略Ｕ字状の取付部材５が枠状の化粧パネルとして取り付けられる。このＵ字状の取付部材５は、筐体３に形成された固定面７に取り付けられる。
【００１４】
筐体３に形成された固定面７は、湾曲した部位を備えるように形成されており、角度を異ならせて設けられている。本実施の形態においては、同一面上にＵ字状に形成された部位７ａと、部位７ａの両端より先に延びるように形成された部位７ｂとが、互いに異なる角度で広がるように連結形成されている。この固定面７は、取付部材５を設置する設置面として機能する。
【００１５】
筐体３に形成された固定面７には取付部材５が取り付けられる。この取付部材５は固定面７に対応して角度を異ならせて形成されている。つまり、取付部材５は固定面７に沿うような形状とされており、固定面７を取付部材５で覆うことが可能となっている。本実施の形態における取付部材５は枠状の化粧パネルであり、部位７ａに対応して同一面上にＵ字状に形成された部位５ａと、部位７ｂに対応して部位５ａの両端より先に延びるように形成された部位５ｂとが、互いに異なる角度で広がるように連結形成されている。取付部材５が枠状に形成されたものであるため、各々の係合部５１の視認性が高められ、取付部材５の取り付け作業を比較的スムーズに行うことが可能となる。
【００１６】
取付部材５には、固定面７に形成された被係合部３１と係合可能な複数の係合部５１が設けられている。取付部材５の角度を異ならせた箇所には、各々、固定面７に係合する係合部５１が備えられている。図３に示されている事項から理解されるように、係合部５１は、取付部材本体５２の裏面側から突出するように形成されている。更に、これらの係合部５１は、各々、同一方向に延びるように形成されている。このため、取付部材本体５２における係合部５１の根本周りの部位が延びる面と、係合部５１が延びる方向と、がなす角度は、一様にはなっていない。
【００１７】
本実施の形態の係合部５１は、対向する各々の辺に形成されている。図２においては、片方の辺に形成された係合部５１のみが示されている。このため、二つの係合部５１のみが示されている。しかし実際には、もう一方の辺にも係合部５１が存在する。つまり、本実施の形態の取付部材５は合計四つの係合部５１が形成されている。このような形態であるため、対向する係合部５１により、筐体３に取付部材５を固定することが可能となる。したがって、取付部材５を安定した状態で固定することが可能となる。
【００１８】
本実施の形態の係合部５１は先端側に突起５４が備えられており、爪状に形成されている。図には具体的に示されていないが、対向する辺に形成された係合部５１は互いの突起５４が向かい合うように延びている。
【００１９】
図４は取付部材５を固定面７に取り付けた状態を示した断面図である。また、図５は取付部材５を固定面７に取り付けた際の係合部５１周りを表した図である。取付部材５に形成された係合部５１は、図３に示した破線に沿うように直進移動させることで被係合部３１と係合可能なように構成されている。本実施の形態の被係合部３１は、係合部５１と係合した際に突起５４が引っかかることが可能なように構成されている。したがって係合部５１と被係合部３１の係合状態は、容易に解除されないものとすることが可能となる。
【００２０】
図６は被係合部３１周りの部分拡大図である。図６に示されているように、筐体３には穴部３５が形成されている。係合部５１はこの穴部３５に侵入した状態で被係合部３１と係合する。この穴部３５を形成する部位は、係合作業をする際に係合部５１の進行方向を案内するガイド部３７として機能する。このため、係合部５１を被係合部３１に係合させることが容易となる。
【００２１】
被係合部３１の周囲に形成されたガイド部３７は、被係合部３１の各々の箇所に設けられており、全てが同一方向に突出する形態とされている。ガイド部３７の上部には取付部材５の取り付け位置を規制することが可能な規制部３９が形成されている。本実施の形態の規制部３９はガイド部３７の上部から外方に突出して形成されている。側面視で略Ｌ字形状に形成された規制部３９により、取付部材５の取り付け位置が規制され、取り付け位置がずれたり、係合部５１の係合が誤って解除されてしまうことを防ぐことが可能となっている。
【００２２】
このようにして、角度を異ならせて形成した固定面７であっても、一部材から形成された取付部材５を一方向に移動させるように動かして取り付けることが可能となる。このため、取り付け作業を比較的容易に行うことが可能となる。また、取付部材５を固定面７に沿って極端に弾性変形させる必要もないため、固定面７と取付部材５との間に大きな隙間ができることを抑制することが可能となる。
【００２３】
以上、一つの実施の形態について説明してきたが、本発明は上記実施の形態に限定されることはなく、各種の態様とすることが可能である。例えば、取付部材は正面視でＵ字状の枠でなくともよく、矩形状や略Ｏ字状の枠や、その他の形状の枠とすることも可能である。また、枠であることに限る必要もなく、屈曲形状や棒状のプレートなどにすることも可能である。
【００２４】
取付部材は、単一の部材で形成されるものでなくともよい。例えば、二色成型など、別部材を一体的に形成するものであっても良い。また、取付部材に別部材を別途取り付けるような構成とすることも可能である。
【符号の説明】
【００２５】
１        電気機器収納用箱
３        筐体
５        取付部材
７        固定面
３１      被係合部
３７      ガイド部
５１      係合部
【図１】
0006699931.tif 000002
【図２】
0006699931.tif 000003
【図３】
0006699931.tif 000004
【図４】
0006699931.tif 000005
【図５】
0006699931.tif 000006
【図６】
0006699931.tif 000007